(57)【要約】      （修正有）【課題】相似する２組の立坑状の昇降路と、ロープで接続され水を収容／排水できる昇降籠が上下動を継続する構造物において、昇降籠が相当の高さと質量で自由落下した際の衝撃緩和と、水資源の一部或いは多くを揚水して再利用する。【解決手段】昇降路内下部に夫々備える相似する可動隔壁を、夫々支持するシリンダを開閉制御できるバルブを介して連結するのと、当該シリンダ内に媒体を供給或いは排出するバルブとを備えて、当該可動隔壁の上下限移動を保障する。併せて上部貯水槽に連絡する導水管とは別に、当該可動隔壁下に貯水する緩衝ストローク相当分を一時収容する複数の導水管を備えて、実揚程を当該緩衝ストローク相当にして揚水にかかる負荷を軽減する。当該昇降路内下部の当該可動隔壁と併せて具備して、循環式水力発電装置を構成し発電出力を得ることが可能である。【選択図】図１
2011127554.tif 000002
【特許請求の範囲】
【請求項１】
相似する２組の昇降路と昇降籠及び当該昇降路内の下部に可動隔壁とを有し、当該可動隔壁下に貯水する構造物において、油或いは空気など流体或いは気体を媒体とする夫々の当該可動隔壁を支持するシリンダと、当該シリンダの一方の媒体経路間を接続する開閉制御できるバルブと、他方の媒体経路をポンプ及びタンクと接続する開閉制御できるバルブとを備えて、前記昇降路内を前記昇降籠が上下動を繰り返して下降する当該昇降籠が、当該可動隔壁の一方を押圧したとき相対する他方を上昇するように作用させ当該シリンダ内の媒体量を増減することで、当該可動隔壁を上限或いは下限へ強制移動できることを特徴とする当該可動隔壁の支持構造物。
【請求項２】
相似する２組の昇降路と昇降籠及び当該昇降路内の下部に可動隔壁とを有し、当該可動隔壁下に貯水する構造物において、前記可動隔壁下に貯水した緩衝ストローク相当分を収容する開閉制御できる複数の導水管と、当該導水管の上端に圧力調整室とを夫々の当該昇降路下部に備えて、前記昇降路内を下降する当該昇降籠が当該可動隔壁に到達した以降の降下速度を、当該導水管と当該可動隔壁下間を当該緩衝ストローク相当分の貯水を行き来させ、当該導水管への貯水を順次開閉して徐々に減速することを特徴とする衝撃吸収構造物。
【発明の詳細な説明】
【技術分野】
【０００１】
本発明は、油或いは空気など流体或いは気体を媒体とする装置の応用技術に関する。
【背景技術】
【０００２】
水資源を利用する発電装置において、立坑状の昇降路とロープで接続され水を収容／排水できる昇降籠とを夫々２組備えて、当該昇降籠への給排水を適時制御して上下動を継続させ、その位置エネルギーから電力を得る構造が知られている。（例えば、特許文献１参照）
【０００３】
このような自然エネルギーを利用する発電装置は、地球環境に優しい発電手段として周知されているが、気象条件に影響されない安定した発電出力を得るには、前記昇降籠が位置エネルギーに比例する相当の高さと質量で自由落下した際の衝撃力緩和と、更に発電に供した水資源を再利用することが不可欠である。
【特許文献１】特開２０００−１３６７６７号公報
【特許文献２】特願２００８−２９１８２０号
【発明の開示】
【発明が解決しようとする課題】
【０００４】
位置エネルギーに比例する相当の高さと質量の昇降籠であっても、自由落下した際の衝撃を緩和する装置を提供する。
【課題を解決するための手段】
【０００５】
本発明は、立坑状の昇降路下部に具備する衝撃吸収構造物と、それに包含する可動隔壁の所定動作を補完する装置に関する。
【０００６】
下部に水を貯水する昇降路と昇降籠とを夫々２組有する構造物において、当該貯水した水の水面下で当該昇降路を隔てる可動隔壁と当該可動隔壁内に開閉を制御できる開閉口と、当該昇降路の当該可動隔壁よりも下部と貯水槽とを連絡する複数の導水管と、個々の当該導水管の開閉を制御するバルブ及び逆止弁あるいは逆止弁が一体となったバルブから成る衝撃吸収構造物を夫々の当該昇降路内に備えることを特徴とする水力発電装置が発明されている。（特許文献２参照）
【０００７】
前記衝撃吸収構造物は、昇降籠が自由落下した際の衝撃力を昇降路と隔てた可動隔壁下の貯水を介在させて、複数の導水管の直列経路に設けたバルブを順次開閉して流量を順次制限することで、衝撃吸収と水等媒体の一部を当該昇降路上方の貯水槽に揚水する機能を有している。
【０００８】
相似する２組の前記昇降籠が安定して所定の上下動を継続するには、上下動のサイクル毎に当該昇降籠内に収容した相当分の水資源を、前記昇降路上方の貯水槽に揚水するか或いは外部へ排水する。このとき、前記衝撃吸収構造物内に包含する可動隔壁は所定の上下限間を交互に上下動する。
【０００９】
前記可動隔壁は、残留する媒体を揚水ポンプ等により揚水するか或いは外部へ排出することで下限へ移動するが、上限へは、当該可動隔壁を支持する構造物中のショックアブソーバの蓄圧による反発力に期待している。しかしながら当該ショックアブソーバの蓄圧だけに頼れば、損失等により蓄圧が失われたとき上限への移動が確実にできない。
【００１０】
前記ショックアブソーバを、油或いは空気など流体或いは気体を媒体とするシリンダに替えて、相似する当該可動隔壁のシリンダ間の媒体経路を開閉制御できるバルブ１と、当該シリンダからタンクへ、ポンプから当該シリンダへ媒体を供給及び排出する開閉制御できるバルブ２とを備える支持構造物にする。
【００１１】
前記昇降籠が下降して当該可動隔壁に到達する直前、前記バルブ１を"開"に制御すると押圧されている当該可動隔壁を支持するシリンダは下降して当該シリンダ内の媒体を、他方のシリンダへ供給し支持している可動隔壁の上方への移動を強制する。
何れの手段でも当該昇降籠が減速している下限近傍では、当該可動隔壁を押圧する衝撃力は微弱になるのは明らかで、前記バルブ２のポンプから当該シリンダへ媒体を供給する経路、或いはタンクへ媒体を排出する経路を"開"にすることで、当該可動隔壁の上限或いは下限への移動を強制できる。
付随して、当該両シリンダ内の媒体を均衡して増減できるので、当該可動隔壁の所定移動ストロークを可変できる。
【００１２】
複数の導水管の開閉制御により衝撃力を緩和するには、上部貯水槽に連絡する当該導水管全体の管径を、昇降籠の降下速度が最大になる可動隔壁に到達した瞬時、当該可動隔壁下の貯水を揚水或いは排水する流量を制限しない位に、また当該上部貯水槽にいたる上端まで一様に同じにする必要がある。結果として、当該導水管内全体には揚水する必要の無いものも含めて貯水される。
【００１３】
昇降籠に収容する相当分以上を揚水する必要は無く、そのため前記上部貯水槽に連絡する導水管１とは別に、当該可動隔壁下に貯水する緩衝ストローク相当分を一時収容する複数の導水管２を当該昇降路下部に具備する。当該導水管２夫々の下端は開閉制御できるバルブを介して当該可動隔壁下の下部貯水槽に、上端は当該昇降路別に備える圧力調整室に連絡する。当該導水管２の実揚程は前記緩衝ストローク相当でよいため、前記導水管１のみの場合と比較して揚水のための負荷を著しく軽減できる。
ここで当該緩衝ストローク相当分の貯水量は、当該導水管を時系列で順次閉じる時間即ち減速時間を加味した量に設定する。
【００１４】
昇降籠が自由落下して可動隔壁に到達した以降、当該可動隔壁下に貯水した緩衝ストローク相当分を前記導水管２に直列経路にあるバルブを順次閉じて、当該可動隔壁を減速させながら収容した次に、当該昇降籠に収容した相当分を前記導水管１により前記上部貯水槽へ揚水する。
当該昇降籠が減速している下限近傍で当該可動隔壁を押圧する衝撃力は微弱なので、前記緩衝ストローク相当分を当該導水管２に全部収容する前に、前記バルブを一旦閉じて前記上部貯水槽に揚水した後、再度、前記バルブを開けて残量を収容する運用では、衝撃力が微弱になる前なのでより効果的に前記上部貯水槽へ揚水できる。
【００１５】
可動隔壁の側面と昇降路の内壁とは気密を密にしており、当該可動隔壁に備える開閉制御できる開閉口を閉じているとき、当該可動隔壁下の貯水は当該昇降路へ容易に流出しない。当該可動隔壁の支持に前述した支持構造物を適用したとき、昇降籠で押圧されて下降する当該可動隔壁の他方は相対して上昇する。この上昇するタイミングで、前記導水管２の直列経路にあるバルブを全て開くと、当該可動隔壁下は圧力を保持しているため当該導水管２に貯水している前記緩衝ストローク相当分を当該可動隔壁下に充当する。
昇降路別に備える圧力調整室は、前記導水管２内に貯水する際は、内封する空気等の媒体が圧縮され圧力が高くなることで当該可動隔壁の減速性能を補助し、反転して当該導水管２内の貯水を排出する際は、圧縮された高い圧力で当該可動隔壁下への充当を補助する。
【００１６】
立坑状の昇降路とロープで接続され水を収容／排水できる昇降籠と、当該昇降路内の下部に可動隔壁とを夫々２組備えて、当該昇降籠への給排水を適時制御して上下動を継続する装置において、前述した衝撃吸収構造物と併せて包含する可動隔壁の支持構造物を適用したとき、自由落下した際の衝撃緩和と当該昇降籠に収容した一部を上部の貯水槽に揚水することが可能で、発電手段は、例えば機械的に結合しているプーリ軸に連絡する発電タービンから電力を得ることが可能である。
昇降籠の上下限の移動ストロークで一意的に決まる周期でエネルギー密度は脈動するが、当該昇降籠への給排水で始動及び停止を任意タイミングで制御できるため、位相を変えて複数の同規模装置を運転することでエネルギー密度を平準化に近づけることができる。
【発明の効果】
【００１７】
揚水ポンプのように作用するため、昇降籠の上下動に使用した水等媒体の装置外部への排出を最小限にできる。
【発明を実施するための最良の形態】
【００１８】
立坑状の昇降路とロープで接続され水を収容／排水できる昇降籠と、当該昇降路の下部に可動隔壁を包含する衝撃吸収構造物とを夫々２組備えて、当該昇降籠への給排水を適時制御して上下動を継続させて、目的の位置エネルギーから電力を得る構造物において、相似する昇降籠が交互に上下間移動できるように補完する装置である。
【実施例１】
【００１９】
図１に本発明に係る第一実施形態の可動隔壁の支持構造物の斜視図を示す。
図より可動隔壁１０を支持する油圧シリンダ１１ａから１１ｄと支持台１２ａから１２ｄ、及び可動隔壁２０を支持する油圧シリンダ２１ａから２１ｄと支持台２２ａから２２ｄは、図示していない夫々独立した立坑内の昇降路下部に設置され、相似する昇降籠が当該可動隔壁を交互に押し下げる。
油圧シリンダ１１ａから１１ｄと油圧シリンダ２１ａから２１ｄの油経路は、パイプ４０を介してバルブ３０により開閉制御できる。更に油圧シリンダ１１ａから１１ｄは開閉制御できるバルブ３１を介して、油圧シリンダ２１ａから２１ｄは開閉制御できるバルブ３２を介して、図示していない油タンクと油圧ポンプに夫々導管４１ａと４１ｂ及び導管４２ａと４２ｂを介して接続している。
【００２０】
図２に図１に係る油圧回路図を示す。
図より油圧シリンダ１１ａから１１ｄは同じ動作をするので油圧シリンダ１１に、同様に油圧シリンダ２１ａから２１ｄは油圧シリンダ２１にモデル化している。
図示していない昇降籠が下降して可動隔壁１０（又は２０）を押し下げると、バルブ３０の電磁ソレノイドＳＯＬ１とバルブ３５の電磁ソレノイドＳＯＬを励磁しているとき、油圧シリンダ１１（又は２１）内下部から他方の油圧シリンダ内下部へ、油圧シリンダ２１（又は１１）内上部から他方の油圧シリンダ内上部に油が移動して可動隔壁２０（又は１０）は上昇する。バルブ３０の電磁ソレノイドＳＯＬ２に励磁を切り換えることで、油経路中の流量調整弁５７で流量を制限して当該可動隔壁の下降／上昇速度を制限する。ここで逆止弁５３と５４及び逆止弁５８と６０は、油圧シリンダ１１と２１から油圧ポンプ５１への逆流を防止する。
【００２１】
昇降籠が減速して可動隔壁１０（又は２０）が下限に到達しないとき、バルブ３０と３５の電磁ソレノイドはいずれも励磁オフにし、バルブ３６（又は３７）の電磁ソレノイドＳＯＬ２を励磁して、油圧シリンダ１１（又は２１）内上部に逆止弁５９（又は６１）を介して油圧ポンプ５１から油を供給するのと、同時にバルブ３１（又は３２）の電磁ソレノイドＳＯＬ１を励磁して、当該シリンダ内下部から同量を油タンク５０に排出する。
他方の可動隔壁２０（又は１０）の上限位置を保障するために、バルブ３２（又は３１）の電磁ソレノイドＳＯＬ２を励磁して、油圧シリンダ２１（又は１１）内下部に逆止弁付き流量調整弁５６（又は５５）を介して油を供給するのと、同時にバルブ３９（又は３８）の電磁ソレノイドＳＯＬとバルブ３７（又は３６）の電磁ソレノイドＳＯＬ１を励磁して、当該シリンダ内上部から同量を油タンク５０に排出する。
当該可動隔壁の移動速度はバルブ３３（又は３４）の電磁ソレノイドＳＯＬを励磁したときは速やかに、励磁しないときは逆止弁付き流量調整弁５５(又は５６)で流量を制限する低速に制御できる。このように可動隔壁１０と２０の下限及び上限への移動を確実にできる。
【００２２】
可動隔壁１０及び２０の上限は、油圧シリンダ１１及び１２内の油量を増減することで設定する。これより当該可動隔壁の上下限の移動ストロークは、当該油圧シリンダのロッドの可動範囲内で任意に設定できる。
【００２３】
図３から図６に本発明に係る水力発電装置の第一実施形態の構造と、動作を説明する状態還移を順に示す。図３から図６共通に、上部貯水槽１１０の配水口扉１０２ａと１０２ｂを開閉制御して、昇降路１００ａ上部の配水口１０１ａと、昇降路１００ｂ上部の配水口１０１ｂから昇降籠１２０ａと１２０ｂ夫々に給水できる。昇降籠１２０ａと１２０ｂはロープ１０４で夫々の上端に接続され、上部に取水口と下部に排水口を夫々開閉制御できる開閉口を有して、交互に水収容と排水を繰り返すと当該昇降路内を交互に上下動を継続する。
又、可動隔壁１０及び２０の側面と当該昇降路の内壁とは気密を密にしており、当該可動隔壁に備える開閉制御できる開閉口を閉じているとき、当該可動隔壁下の貯水は当該昇降路へ容易に流出しない。
【００２４】
昇降路１００ａと１００ｂ内下部に、請求項１に係る可動隔壁の支持構造物を備える。可動隔壁１０と２０は開閉制御できる開閉口を有しており、可動隔壁１０は油圧シリンダ１１ａと１１ｂに、可動隔壁２０は油圧シリンダ２１ａと２１ｂに支持され、当該シリンダの油経路は開閉制御できるバルブ３０を介して大口径のパイプ４０により連絡している。
【００２５】
可動隔壁１０と２０下に下部貯水槽１１１ａと１１１ｂを有し、当該下部貯水槽から上部貯水槽１１０に導水管１３１ａから１３１ｄにより、直列経路に開閉制御できるバルブ１４１ａから１４１ｄと、当該下部貯水槽への逆流を防止する逆止弁１４２ａから１４２ｄを介して連絡している。当該導水管１３１ａと１３１ｂ及び１３１ｃと１３１ｄの総容積は前記昇降籠の収容相当量としている。
導水管１３２ａと１３２ｂ及び導水管１３３ａと１３３ｂにより、直列経路に開閉制御できるバルブ１４３ａから１４３ｃを介して、上部貯水槽１１０から当該可動隔壁の上或いは下に給水する量を調整できる。又、導水管１３４ａと１３４ｂ及び直列経路に開閉制御できるバルブ１４４ａと１４４ｂを介して、当該下部貯水槽内の水を装置外部に排水できる。
【００２６】
請求項２に係る衝撃吸収構造物において、可動隔壁１０下の緩衝ストローク相当分を含む下部貯水槽１１１ａの貯水は、開閉制御できるバルブ１４０ａから１４０ｊを介して導水管１３０ａから１３０ｊに、当該可動隔壁が押圧され下降したとき当該緩衝ストローク相当分を貯水する。同様に、開閉制御できるバルブ１４０ｋから１４０ｔを介して導水管１３０ｋから１３０ｔに、可動隔壁２０が押圧され下降したとき当該可動隔壁下の緩衝ストローク相当分を貯水する。
圧力調整室１１２ａと１１２ｂは空気などを内封して密閉しており、当該導水管内に緩衝ストローク相当分が収容されると加圧され、反転して排出するときには当該可動隔壁下への充当を補助する。
【００２７】
図３より、昇降籠１２０ａと可動隔壁１０は上限に、可動隔壁２０と内部に水を収容した昇降籠１２０ｂは下限位置にある。導水管１３０ｋから１３０ｔ内には、可動隔壁２０が前サイクルで押圧されたときの緩衝ストローク相当分を収容している。このとき、夫々のバルブ１４０ａから１４０ｔは閉じており、圧力調整室１１２ｂ内の圧力は圧縮されて高くなっている。ここでは、バルブ３０は閉じているため、可動隔壁１０と２０は同状態を保持する。
上部貯水槽１１０に連絡する導水管１３１ａと１３１ｂ内及び１３１ｃと１３１ｄのバルブ１４１ａから１４１ｄは通常開いている。当該導水管内は、常に当該昇降籠に収容する相当分で満たされ、同様に底面は常に高さに比例した圧力がかかっている。
【００２８】
図４より、内部に水を収容した昇降籠１２０ａは下降して可動隔壁１０に到達した瞬時で、これより少し前、バルブ３０が開くと可動隔壁１０は保持状態から下降し始め、相対する可動隔壁２０は油圧シリンダ１１ａと１１ｂ内から、油圧シリンダ２１ａと２１ｂ内にパイプ４０を介して油が流入して上昇する。ここで当該可動隔壁上の貯水は、介在することで当該可動隔壁を先行して下降させ直接の衝突を回避する。
相対する昇降籠１２０ｂは、上昇する前に当該昇降籠上下にある開閉口を開くと、収容した水を可動隔壁２０上に残留させて上昇する。
【００２９】
図５より、下降する昇降籠１２０ａにより可動隔壁１０は押圧され、支持する油圧シリンダ１１ａと１１ｂのロッドが緩衝ストローク分下降し、相対する可動隔壁２０は支持する油圧シリンダ２１ａと２１ｂにより同じストローク分上昇している。可動隔壁１０が下降する時間経過とともに、導水管１３０ａから１３０ｊ内に当該緩衝ストローク相当分を収容する際に、バルブ１４０ａから１４０ｊを順次"閉"にすることで降下速度を減速する。相対する可動隔壁２０が上昇して、導水管１３０ｋから１３０ｔ内に収容した相当分が当該可動隔壁下に充当されたとき、当該可動隔壁内開閉口を開くと同時にバルブ１４０ａから１４０ｔ全てを"閉"にする。
以降の可動隔壁１０の下降とともに、バルブ１４１ａと１４１ｂを順次"閉"にすることで当該昇降籠に収容相当分を上部貯水槽１１０に揚水する。
【００３０】
図６より、可動隔壁１０と内部に水を収容した昇降籠１２０ａは下限に、昇降籠１２０ｂと可動隔壁２０は上限位置にある。導水管１３０ａから１３０ｊ内は、可動隔壁１０が先に押圧されたときの緩衝ストローク相当分が収容されており、圧力調整室１１２ａ内には空気等の媒体が圧縮され圧力が高くなっており、次サイクルで当該導水管の貯水を排出して当該可動隔壁下への充当を補助する。
可動隔壁２０下は、当該可動隔壁側面と当該昇降路の内壁と気密を密にしているため、先に導水管１３０ｋから１３０ｔに収容した相当分が充当された後、当該可動隔壁内開閉口を開いて昇降籠１２０ｂに収容した相当分を更に充当する。
減速することで当該可動隔壁が下限に到達しないとき、請求項１の図示していない油圧ポンプから当該可動隔壁を支持する当該油圧シリンダ内に油を供給するのと、あわせて図示していない油タンクに排出することで下限への移動を強制できる。このような制御構造が無いとき、昇降籠への給排水後、揚水できない残量は装置外部へ排出するしか手段は無く、このことにより、昇降籠の上下動に使用した水等媒体を、装置外部へ排出するのを最小限にできる。
【００３１】
以降、同様の制御を繰り返すことで、当該昇降籠は上下動を交互に継続できる。
このように、昇降籠が自由落下した際の衝撃を緩和するとともに、位置エネルギーと等価の運動エネルギーの衝撃力により、当該昇降籠の上下動で使用した水の一部を揚水する再利用が可能である。発電手段は、例えば機械的に結合しているプーリ１０３ｂのプーリ軸に連絡する発電タービンから電力を得ることが可能である。
【実施例２】
【００３２】
図７に本発明に係る第二実施形態の水力発電装置の構造を説明する図を示す。
実施例１の図３から図６との違いは、昇降路１００ａ内と１００ｂ内を除く上部貯水槽１１０以下水没しており、不純物除去装置１５０によりゴミ等を除去して当該上部貯水槽内に取り込んでいるのと、導水管１３１ａから１３１ｄは当該上部貯水槽に連絡していない。
昇降籠１２０ａ内及び１２０ｂ内に常に水を取り込めるので、上部貯水槽に揚水する必要が無く、下部貯水槽１１１ａ及び１１１ｂ内に前記昇降籠が排水した水を装置外部の水中に全て排出できる。他は実施例１と動作を含めて同じである。
このような運用では揚水にかかるエネルギー損失が少なくなるので、発電の効率向上が期待できる。
【産業上の利用可能性】
【００３３】
相似する２組の昇降路と昇降籠及び当該昇降路の下部に可動隔壁とを有する構造物において、当該可動隔壁と併せて具備する循環式水力発電装置に適用することで、発電出力を得ることが可能である。
【図面の簡単な説明】
【００３４】
【図１】本発明に係る第一実施形態の可動隔壁の支持構造物の斜視図である。
【図２】本発明に係る第一実施形態の油圧回路図である。
【図３】本発明に係る第一実施形態の水力発電装置の構造を説明する状態還移の第１の図である。
【図４】本発明に係る第一実施形態の水力発電装置の構造を説明する状態還移の第２の図である。
【図５】本発明に係る第一実施形態の水力発電装置の構造を説明する状態還移の第３の図である。
【図６】本発明に係る第一実施形態の水力発電装置の構造を説明する状態還移の第４の図である。
【図７】本発明に係る第二実施形態の水力発電装置の構造を説明する図である。
【符号の説明】
【００３５】
１０と２０ 可動隔壁
１１と２１ 油圧シリンダ
１１ａから１１ｄ 油圧シリンダ
１２ａから１２ｄ 支持台
１３と２３ 可動隔壁内開閉口
２１ａから２１ｄ 油圧シリンダ
２２ａから２２ｄ 支持台
３０ バルブ
３１と３２ バルブ
３３と３４ バルブ
３５ バルブ
３６から３９ バルブ
４０ パイプ
４１ａと４１ｂ 導管
４２ａと４２ｂ 導管
５０ 油タンク
５１ 油圧ポンプ
５２ 油ポンプ駆動モータ
５３と５４ 逆止弁
５５と５６ 逆止弁付き流量調整弁
５７ 流量調整弁
５８から６１ 逆止弁
１００ａと１００ｂ 昇降路
１０１ａと１０１ｂ 配水口
１０２ａと１０２ｂ 配水口扉
１０３ａから１０３ｃ プーリ
１０４ ロープ
１１０ 上部貯水槽
１１１ａと１１１ｂ 下部貯水槽
１１２ａと１１２ｂ 圧力調整室
１２０ａと１２０ｂ 昇降籠
１３０ａから１３０ｔ 導水管
１３１ａから１３１ｄ 導水管
１３２ａと１３２ｂ 導水管
１３３ａと１３３ｂ 導水管
１３４ａと１３４ｂ 導水管
１４０ａから１４０ｔ バルブ
１４１ａから１４１ｄ バルブ
１４２ａから１４２ｄ 逆止弁
１４３ａと１４３ｂ バルブ
１４４ａと１４４ｂ バルブ
１５０ 不純物除去装置
【図１】
2011127554.tif 000003
【図２】
2011127554.tif 000004
【図３】
2011127554.tif 000005
【図４】
2011127554.tif 000006
【図５】
2011127554.tif 000007
【図６】
2011127554.tif 000008
【図７】
2011127554.tif 000009
【手続補正書】
【提出日】平成22年7月14日(2010.7.14)
【手続補正１】
【補正対象書類名】特許請求の範囲
【補正対象項目名】全文
【補正方法】変更
【補正の内容】
【特許請求の範囲】
【請求項１】
相似する２組の昇降路と昇降籠及び当該昇降路内の下部に可動隔壁とを有し、当該可動隔壁下に貯水する構造物において、夫々の当該可動隔壁は夫々のシリンダの上端に支持され、夫々の当該シリンダの上部間の媒体経路、もしくは下部間の媒体経路を接続する開閉制御できるバルブと、更に夫々の当該シリンダの上部及び下部の媒体経路にポンプ及びタンクと接続する開閉制御できるバルブとを備えて、前記昇降籠の一方の下降により当該可動隔壁の一方を押圧して他方の当該可動隔壁を上昇させる際、当該シリンダの上部間及び下部間のバルブを開放制御して内部媒体の移動を自由にすることで、当該昇降籠が下降した際の衝撃力と当該可動隔壁下の貯水による位置エネルギーを利用して、ポンプから当該シリンダへ媒体の充当にかかるエネルギー消費を極力少なく当該可動隔壁を上限或いは下限へ強制移動できることを特徴とする支持構造物。
【手続補正２】
【補正対象書類名】明細書
【補正対象項目名】０００８
【補正方法】変更
【補正の内容】
【０００８】
相似する２組の前記昇降籠が安定して所定の上下動を継続するには、上下動のサイクル毎に当該昇降籠内に収容した相当分の水資源を、前記昇降路上方の貯水槽に揚水するか或いは外部へ排水する。このとき、前記衝撃吸収構造物内に包含する可動隔壁が、所定の上下限に交互に到達することで安定した上下動が可能である。
【手続補正３】
【補正対象書類名】明細書
【補正対象項目名】００１０
【補正方法】変更
【補正の内容】
【００１０】
前記ショックアブソーバを、油或いは空気など流体或いは気体を媒体とするシリンダに替えて、その一端を夫々の当該可動隔壁に接続し、夫々の当該シリンダ間の媒体経路を開閉制御できるバルブ１と、当該シリンダにタンク及びポンプから媒体を供給及び排出する開閉制御できるバルブ２とを備える支持構造物にする。
【手続補正４】
【補正対象書類名】明細書
【補正対象項目名】００２６
【補正方法】変更
【補正の内容】
【００２６】
可動隔壁１０下の緩衝ストローク相当分を含む下部貯水槽１１１ａの貯水は、開閉制御できるバルブ１４０ａから１４０ｊを介して導水管１３０ａから１３０ｊに、当該可動隔壁が押圧され下降したとき当該緩衝ストローク相当分を貯水する。同様に、開閉制御できるバルブ１４０ｋから１４０ｔを介して導水管１３０ｋから１３０ｔに、可動隔壁２０が押圧され下降したとき当該可動隔壁下の緩衝ストローク相当分を貯水する。
圧力調整室１１２ａと１１２ｂは空気などを内封して密閉しており、当該導水管内に緩衝ストローク相当分が収容されると加圧され、反転して排出するときには当該可動隔壁下への充当を補助する。